(57)【要約】      （修正有）【課題】排水口の目詰りを防止する。【解決手段】排水口の基部の形状にほぼ適合する形状の金属薄板を用いて、その中心部に、各々４方に向けた略長方形の外側１辺だけを残した形状で４個打ち抜き、その４個のＵ字形の上側の辺から立ち起こして作った４個の突起の組Ｏ１、Ｏ２、Ｏ３、Ｏ４を備え、更に、その各々の間の中間に、４方に向けた略長方形の外側１辺だけを残した形状で打ち抜いた４個のＵ字形の上側の辺から立ち起こして作った４個の突起の組Ｐ１、Ｐ２、Ｐ３、Ｐ４を備える。【選択図】図3
0003102660.tif 000002
【実用新案登録請求の範囲】
【請求項１】
排水口器具(２)の基部(３)にほぼ適合する形状の薄板(１)の中心部に、各々４方に向けた略長方形の外側１辺だけを残した形状で４個打ち抜き、その４個のＵ字形打ち抜き線(Ａ１、Ａ２、Ａ３、Ａ４)に対して、各々その残した辺即ち、Ｕ字形の上側の辺から立ち起こして作った４個の略長方形の孔(Ｌ１、Ｌ２、Ｌ３、Ｌ４)を形成すると同時に立ち上がった４個の突起の組(Ｏ１、Ｏ２、 Ｏ３、Ｏ４)を備え、更に、その各々の間の中間に、４方に向けた略長方形の外側 １辺だけを残した形状で打ち抜いた４個(Ｂ１、Ｂ２、Ｂ３、Ｂ４)を各々その残した辺から、同様に、即ち、Ｕ字形の上側の辺から立ち起こして作った４個の略長方形の孔(Ｍ１、Ｍ２、Ｍ３、Ｍ４)と立ち上がった４個の突起の組(Ｐ１、Ｐ２、Ｐ３、Ｐ４)を備えることを特徴とする排水口(２)に着脱自在の排水口用目詰まり防止具( １)。
【請求項２】
各々の略長方形に作成されるものは、残される１辺に相対する辺は、丸くされ、打ち抜き形状が容易に立ち上げられる形状であることを特徴とする請求項１記載の排水口用目詰まり防止具。
【請求項３】
４方に向けた４個の略長方形の２組のうち１組は、他の組より少し長細く且つ少し外側に設けられていることを特徴とする請求項１記載の排水口用目詰まり防止具。
【考案の詳細な説明】
【技術分野】
【０００１】
本考案は、建設中およびその後の短期間に建設くずやごみ等が排水口に目詰まり起こすことのないように使用する排水口用目詰まり防止具に関する。
【背景技術】
【０００２】
建物を建設する間には、ルーフドレインや雨樋などが完成した後にも、外装工事などを行わなければならず、その際には、その工事に伴うガラやごみがどうしても発生し、それらが、ルーフドレインなどの排水口にたまり目詰まりを起こすことを防止しなければならない。そのために、排水口目詰まり防止のために、人手とコストが必要であり、無駄なコスト高の原因にもなった。
【０００３】
従って、従来、建設中の建物に作製済みの排水口は、建物完成までの間には、建設資材のガラやクズ、ごみにより目詰まりするのを防止するためには、雨樋と同じ考え方で、金網等を設けて目詰まり防止を行ってきた（特開平１０−２０５０８３号参照）が、これでは、コストがかかると同時に金網のサイズが各々の排水口に合わせなければならず、手間が面倒であり、そのための人件費がよけいにかかることとなる。
【特許文献１】特開平１０−２０５０８３号
【特許文献２】特開２０００−０６４３８５号
【考案の開示】
【考案が解決しようとする課題】
【０００４】
本考案は、排水口の目詰まりを短期間でも防止し、コスト削減と人手低減を求める排水口用目詰まり防止具を提供することを目的とする。また、排水口のサイズの変化にも対応できるフリーサイズ方式の防止具を提供することを目的とする。
【課題を解決するための手段】
【０００５】
本考案者は、上記のような課題を解決すべく鋭意研究を重ねてきた。その結果、次のような手段により、それを解決したものである。
【０００６】
(１)排水口(２)の基部(３)にほぼ適合する形状の金属薄板(１)の中心部に、各々４方に向けた略長方形の外側１辺だけを残した形状で４個打ち抜き、その４個のＵ字形打ち抜き線(Ａ１、Ａ２、Ａ３、Ａ４)に対して、各々その残した辺即ち、略Ｕ字形の上側の辺から立ち起こして作った４個の略長方形の孔(Ｌ１、Ｌ２、Ｌ３、Ｌ４)を形成すると同時に立ち上がった４個の突起の組(Ｏ１、Ｏ２、Ｏ３、Ｏ４)を備え、更に、その各々の間の中間に、４方に向けた略長方形の外側１辺だけを残した形状で打ち抜いた４個(Ｂ１、Ｂ２、Ｂ３、Ｂ４)を各々その残した辺から立ち起こして作った４個の略長方形の孔(Ｍ１、Ｍ２、Ｍ３、Ｍ４)と立ち上がった４個の突起の組(Ｐ１、Ｐ２、Ｐ３、Ｐ４)を備えることを特徴とする排水口(２)に着脱自在の排水口用目詰まり防止具(１)。
【０００７】
(２)各々の略長方形に作成されるものは、残される１辺に対する辺は、丸くされ、打ち抜き形状が容易に立ち上げられる形状である。
【０００８】
(３)４方に向けた４個の略長方形の２組のうち１組は、他の組より少し長細く且つ少し外側に設けられていることにより、排水口の大きさが変化しても、それに対応できるフリーサイズ方式にできるものにした。
【０００９】
本考案の排水口用目詰まり防止具は、排水口の基部にほぼ適合する形状の薄板を用いて、排水口に着脱自在にできる排水口用目詰まり防止具である。そして、その構成は 薄板のほぼ中心付近に、２組の各々４方に向けた略長方形の４個の孔、即ち、４方、８方に設けた８個の孔と、それら８個の孔を形成するために、薄板を打ち抜いた８個の部分を立ち上げた８個の突起を薄板の中心付近に、簡単に形成した構造である。以下、その構造の金属薄板の構造を、通常の排水口は略長方形基部を有し、円形の排水口を有するので、そのような構造を例として、説明するが、本考案は、円形、長円形等の排水口にも用いることができるので、それにより限定を受けるものではない。
【考案の効果】
【００１０】
本考案の排水口用目詰まり防止具の以上のような構成により、次のごとき技術的効果があった。
【００１１】
第１に、簡単な器具により、排水口の目詰まりを防止できる方法を提供できた。
【００１２】
第２に、簡単な器具のために、ごみ、ガラ等が排水口にためり、目詰まりを起こすことを防止するコストを非常に低減でき、同時に手間も少なく、人件費の低減につながる。
【００１３】
第３に、本考案の排水口用目詰まり防止具は、取り外し簡単であり、軽量で持ち運びも容易であり、建物の完成後にも樋などの詰まりを、すべて解消できるものである。
【００１４】
第４に、本考案の排水口用目詰まり防止具は、軽量で薄いために重ねての持ち運びができる。
【００１５】
第５に、本考案の排水口用目詰まり防止具は、平面状であるために、施工のときもジャマにならない。
【００１６】
第６に、本考案の排水口用目詰まり防止具は、排水口器具にカミ込みしっかりとはまり、ズレないものである。
【００１７】
第７に、本考案の排水口用目詰まり防止具は、排水口に載せるだけ、着脱簡単にできるものである。
【考案を実施するための最良の形態】
【００１８】
本考案の排水口用目詰まり防止具は、薄板の中心部に、各々４方に向けた略長方形の外側１辺だけを残した形状で打ち抜いた４個を各々その残した辺から立ち起こして作った４個の略長方形の孔と立ち上がった４個の突起の組を有し、更に、その各々の間の中間に、４方に向けた略長方形の外側１辺だけを残した形状で打ち抜いた４個を各々その残した辺から立ち起こして作った４個の略長方形の孔と立ち上がった４個の突起の他の組を有する構造である。
【００１９】
用いる薄板は、スチール、望ましくはステンレススチールまたはアルミニウムの金属薄板が好適である。それは、以下に説明するように、薄板１を、略Ｕ字形に打ち抜くために便利であるからである。同時に、打ち抜きに形成するので、材料は、略長方形の金属薄板１だけでよい。このように、本考案の排水口用目詰まり防止具は、薄板金属であるために、軽量で薄く、重ねて持ち運びができるようになる。そして、単なる板であり、平面状であるために、他の工事を施工する間でも、ジャマになることはない。
【００２０】
すなわち、図１と２を参照して説明すると、適用すべき排水口３の基部３にほぼ適合する形状の金属薄板１を採用する。先ず、その薄板１の中心部に、各々４方に向けた略長方形の外側１辺だけを残した形状、略Ｕ字形、即ち、図２に示すように、Ａ１、Ａ２、Ａ３、Ａ４の４個の略Ｕ字形線を、４方に向けたパターンで、形成する。更に、そのＡ１、Ａ２、Ａ３、Ａ４の間の中間に、４方に向けたパターンで、４個の略Ｕ字形Ｂ１、Ｂ２、Ｂ３、Ｂ４を打ち抜く。即ち、図２に示すようなパターンで、４方の４個のＡ１、Ａ２、Ａ３、Ａ４の略Ｕ字形線とそれらの間の中間にある４方の４個の略Ｕ字形Ｂ１、Ｂ２、Ｂ３、Ｂ４を打ち抜いて形成する。
【００２１】
即ち、図１、２、３で説明すると、排水口２の基部３にほぼ適合する形状の金属薄板１の中心部に、各々４方に向けた略長方形の外側１辺だけを残した形状で打ち抜いた４個Ａ１、Ａ２、Ａ３、Ａ４の打ち抜き線を形成し、次に、各々その残した辺から立ち起こして作った４個の略長方形の孔Ｌ１、Ｌ２、Ｌ３、Ｌ４と立ち上がった４個の突起Ｏ１、Ｏ２、Ｏ３、Ｏ４の組を形成し、更に、その各々の間の中間に、４方に向けた略長方形の外側１辺だけを残した形状で打ち抜いた４個Ｂ１、Ｂ２、Ｂ３、Ｂ４を各々その残した辺から立ち起こして作った４個の略長方形の孔Ｍ１ 、Ｍ２、Ｍ３、Ｍ４と立ち上がった４個の突起Ｐ１、Ｐ２、Ｐ３、Ｐ４の他の組を有す る。
【００２２】
本考案によると、図２に示すような２種類の４方に向けて並べた略Ｕ字形切り欠き或いは打ち抜き、即ち、Ａ１、Ａ２、Ａ３、Ａ４とＢ１、Ｂ２、Ｂ３、Ｂ４を利用するものである。その理由はつぎの通りである。
【００２３】
即ち、図２のＡ１、Ａ２、Ａ３、Ａ４のパターンの打ち抜き線により形成される、図１の孔Ｌ１、Ｌ２、Ｌ３、Ｌ４は、図示のように、Ｂ１、Ｂ２、Ｂ３、Ｂ４（Ｂ）のパターンによる孔よりも短い長方形の４つの孔を形成する。そして、且つ、薄板のより中心点に近くに即ち、中心点に寄せて形成される。これは、中心部分からのそれによる排水が多く且つ迅速に行うに役立つものである。そして、Ａ（Ａ１、Ａ２、Ａ３、Ａ４）のパターンにより形成される突起も、短いものとなるが、中心近くに寄せて設けられる。
【００２４】
これに対して、Ｂのパターンによる孔Ｍ１、Ｍ２、Ｍ３、Ｍ４は、長いものとなることは、図２の打ち抜きパターンを表す平面図から容易に理解される。そして、Ｂのパターンにより作製される突起Ｐ１、Ｐ２、Ｐ３、Ｐ４は、中心からは少し遠い個所に設けられるが、長いものとなる。これにより、２種類の孔と２種類の突起が設けられる。孔については前記の通りである。２種類の突起は、排水口に嵌合させるときに、排水口(４)の大きさが変化しても、それに対応することができるようにするためである。Ａのパターンによる突起は、内側にあるので、小さい口径の排水口(４)に対応でき、そのときは、外側のＢのパターンによる突起が垂直にまで立てても、何ら障害にならず、小さい口径に対応できる。また、大きい口径の排水口(４)には、長い突起即ち、Ｂのパターンによる突起が対応することができる。即ち、４方に向けた４個の略長方形の２組のうち１組は、他の組より少し長く且つ少し外側に設けられていることにより、排水口の大きさが変化しても、それに対応できるフリーサイズ方式にできるものにした。
【００２５】
なお、図２に示される点線は、用いられる排水口のうちで、最も大きい径のものを示す。従って、これより小さくて、Aのパターンの外側よりも大きい径のものまで、用いることができる。
【００２６】
更に、各々の略長方形、即ち、略Ｕ字形の打ち抜き線に作成されるものは、残される１辺に相対する辺は、丸くされ（よりＵ字形になるが、これは、長方形でもよいという意味である）、打ち抜き形状が容易に立ち上げられる形状である。即ち、丸い部分に引っ掛けると容易に立ち上げることができる。同時に、先端が丸い足状部材が排水口に入ることとなり、扱い易い形状となる。             
このように、本考案の排水口用目詰まり防止具は、排水口に載せるだけで、カミ込み排水口にしっかりとはまり、ズレないと同時に、排水口に載せて、着脱簡単に使用することができるものです。
【図面の簡単な説明】
【００２７】
【図１】本考案による排水口用目詰まり防止具の斜視図である。
【図２】本考案による排水口用目詰まり防止具の作製のための薄板に、打ち抜く形状を示す平面図である。
【図３】本考案による排水口用目詰まり防止具の薄板の斜視図である。
【符号の説明】
【００２８】
１  金属薄板
２  排水口器具
３  排水口器具の基部
４  排水口
Ａ１、Ａ２、Ａ３、Ａ４    略Ｕ字形即ち、長方形の一辺がない打ち抜き
Ｂ１、Ｂ２、Ｂ３、Ｂ４    略Ｕ字形即ち、長方形の一辺がない打ち抜き
Ｌ１、Ｌ２、Ｌ３、Ｌ４    長方形の孔（短い）
Ｍ１、Ｍ２、Ｍ３、Ｍ４    長方形の孔（長い）
Ｏ１、Ｏ２、Ｏ３、Ｏ４    突起（短い）
Ｐ１、Ｐ２、Ｐ３、Ｐ４    突起（長い）
【図１】
0003102660.tif 000003
【図２】
0003102660.tif 000004
【図３】
0003102660.tif 000005